(57)【要約】【課題】中央構造物の他方側の遊技領域に、跳ねた遊技球が進入してしまうことを良好に防ぐこと。【解決手段】遊技領域３の略中央位置に設けられた中央構造物１５を有し、遊技領域３に遊技球を発射することにより遊技を行う遊技機１において、中央構造物１５の上部位置には、該中央構造物１５の左側の第１領域から該中央構造物１５の上端を越えて反対側である右側の第２領域に遊技球が進入することを防ぐための少なくとも１の段部Ｄ３が形成されており、該段部Ｄ３の上端部に、第１領域に向けて突出する庇部Ｈを形成する。【選択図】図３
2015107255.tif 000002
【特許請求の範囲】
【請求項１】
遊技領域に遊技媒体を発射することにより遊技を行う遊技機であって、
前記遊技領域に設けられた構造物を備え、
前記遊技領域には、前記構造物の一方側に形成され、発射された遊技媒体が該遊技領域に到達するまでに通過する領域に近い第１領域と、前記構造物の他方側に形成される第２領域とが形成され、
前記構造物の前記第１領域側の上部には段部が形成され、当該段部の上端に前記第１領域に突出する庇部を有する
ことを特徴とする遊技機。
【発明の詳細な説明】
【技術分野】
【０００１】
本発明は、遊技領域に遊技球を発射することにより遊技を行う遊技機に関する。
【背景技術】
【０００２】
従来の遊技機においては、遊技領域の略中央位置に、中央構造物（センターケース）を設け、遊技領域の左領域に臨む該中央構造物（センターケース）の上部に段部を形成することにより、遊技球が跳ねて、該段部が形成されている側とは反対側の中央構造物（センターケース）の右領域に遊技球が流入することを防ぐものがある（例えば、特許文献１参照）。
【先行技術文献】
【特許文献】
【０００３】
【特許文献１】特開２０１２−１３９５７３号公報
【発明の概要】
【発明が解決しようとする課題】
【０００４】
しかしながら、特許文献１にあっては、中央構造物の一方側の遊技領域（第１領域）に進入した遊技球（遊技媒体）が強く跳ねた場合には、中央構造物の他方側の遊技領域（第２領域）に進入してしまうことがあり、これら他方側の遊技領域（第２領域）に進入してしまうことを良好に防ぐことができないという問題があった。
【０００５】
本発明は、このような問題点に着目してなされたもので、遊技媒体（遊技球）が、構造物の他方側の遊技領域であるに第２領域に進入してしまうことを良好に防ぐことのできる遊技機を提供することを目的とする。
【課題を解決するための手段】
【０００６】
前記課題を解決するために、本発明の請求項１に記載の遊技機は、
遊技領域（例えば、遊技領域３Ａ）に遊技媒体（例えば、パチンコ球）を発射することにより遊技を行う遊技機（例えば、パチンコ遊技機１）であって、
前記遊技領域に設けられた構造物（例えば、センター飾り枠体１５）を備え、
前記遊技領域には、前記構造物の一方側（例えば、左側）に形成され、発射された遊技媒体が該遊技領域に到達するまでに通過する領域に近い第１領域と、前記構造物の他方側（例えば、右側）に形成される第２領域とが形成され、
前記構造物の前記第１領域側の上部には段部（例えば、第１段部Ｄ１〜第３段部Ｄ３を含む進入防止部Ｄ）が形成され、当該段部の上端に前記第１領域に突出する庇部（例えば、庇部Ｈ）を有する
ことを特徴としている。
この特徴によれば、遊技媒体が第２領域に進入してしまうことを良好に防ぐことができる。
【０００７】
本発明の手段１の遊技機は、請求項１に記載の遊技機であって、
前記上部位置（例えば、上部左位置）には、複数の前記段部（例えば、第１段部Ｄ１、第２段部Ｄ２、第３段部Ｄ３）が形成されており、
前記庇部（例えば、庇部Ｈ）を、最も上部に形成された前記段部（例えば、第３段部Ｄ３）に形成した
ことを特徴としている。
この特徴によれば、庇部によって第１領域が狭くなってしまうことを防止しつつ、第２領域への遊技媒体の進入を良好に防ぐことができる。
【０００８】
本発明の手段２の遊技機は、手段１に記載の遊技機であって、
前記段部は、下段（例えば、第１段部Ｄ１）よりも上段（例えば、第２段部Ｄ２）の方が丸みを帯びた形状にて形成されている
ことを特徴としている。
この特徴によれば、段部の上段と下段とで遊技媒体の流下状況が変化させることができる。
【０００９】
本発明の手段３の遊技機は、請求項１、手段１、手段２のいずれかに記載の遊技機であって、
前記庇部（例えば、庇部Ｈ）が、前記段部を構成する傾斜面（例えば、第２段部Ｄ２の傾斜面）から連続する面が円弧状に反り返ることにより形成されている
ことを特徴としている。
この特徴によれば、庇部が円弧状に反り返る形状であるので、該庇部に到達した遊技媒体が庇部に衝突して跳ねてしまうことを抑えることができる。
【図面の簡単な説明】
【００１０】
【図１】本発明の実施形態に係るパチンコ遊技機の正面図である。
【図２】上記パチンコ遊技機の遊技盤の正面図である。
【図３】遊技盤の上部左側の拡大図である。
【図４】遊技盤の下部右側の拡大図である。
【図５】変形例における遊技盤の上部左側の拡大図である。
【図６】図５のＡ−Ａ線に沿う断面図である。
【図７】図５のＢ−Ｂ線に沿う断面図である。
【図８】進入防止部Ｄにおける遊技球の動きを説明する説明図である。
【発明を実施するための形態】
【００１１】
本発明に係る遊技機を実施するための実施形態を図面に基づき説明する。
【００１２】
図１は、遊技機の一例であるパチンコ遊技機１の正面図である。なお、以下の説明で用いる図において、「上」、「下」、「左」、「右」はパチンコ遊技機１の方向を示している。また、パチンコ遊技機１の前後方向は、図１の紙面手前側を「前」とし、図１の紙面奥側を「後」とする。
【００１３】
パチンコ遊技機１は、縦長の矩形状に形成された遊技枠２と、遊技枠２に着脱可能に取り付けられた遊技盤３と、で主に構成されている。遊技枠２は、遊技盤３を着脱可能に収容する収容部を有する縦長の方形枠状の台枠４と、台枠４の左側部前面側に、上下方向に沿って延びる軸線を軸中心として開閉可能に設けられたガラス扉枠５および下扉枠６と、を備えている。
【００１４】
遊技盤３は、台枠４に収容された状態でガラス扉枠５によって覆われている。ガラス扉枠５には、遊技盤３に形成される遊技領域３Ａを遊技者側から視認可能とする略円形状のガラス板５Ａが設けられている。なお、ガラス板５Ａは、光を透過するのであれば、例えばアクリル樹脂等からなるもので代替してもよい。
【００１５】
遊技領域３Ａは略円形状の領域とされ、遊技盤３の前面には、遊技領域３Ａの周囲（周縁部）を回り込むように延設された円弧状のガイドレール７が設けられている。図中符号８は、打球発射装置を示しており、この打球発射装置８は、遊技領域３Ａよりも下側の位置であって台枠４の下部右側に収容され下扉枠６によって覆われている。打球発射装置８から発射された遊技媒体としての遊技球は、ガイドレール７によって遊技領域３Ａの上部左側領域に案内される。
【００１６】
下扉枠６の上部には、打球供給皿（上皿）９が設けられ、下扉枠６において、打球供給皿９の下側には、打球供給皿９に収容しきれない遊技球を貯留する余剰球受皿１０（下皿）や、遊技球を発射する打球操作ハンドル（操作ノブ）１１が設けられている。
【００１７】
遊技者が操作ノブ１１を回転操作することで、打球発射装置８から遊技球が発射され、打球供給皿９に貯留された遊技球は、打球発射装置８が遊技球を１つ発射し終える度に、順次、打球発射装置８に供給される。パチンコ遊技機１では、打球発射装置８から発射された遊技球が、ガイドレール７を通過して、遊技領域３Ａに打ち込まれることで遊技が行われる。
【００１８】
遊技領域３Ａの中央側には、演出表示装置１２が配置され、演出表示装置１２は、それぞれが演出用の飾り図柄（演出図柄）を可変表示する複数の可変表示部を有している。遊技領域３Ａにおける演出表示装置１２の下側には、第１始動入賞口１３ａが設けられている。第１始動入賞口１３ａに入賞した遊技球は、排出経路を介して遊技盤３の背面に導かれ、第１始動口スイッチおよび第１入賞確認スイッチ（図示略）によって検出される。なお、遊技領域３Ａの中央とは、正面視で略円形状の遊技領域３Ａの中心位置を含む領域のことを意味する。
【００１９】
また、遊技領域３Ａ内における右下側の領域において、第１始動入賞口１３ａの右上側の位置には、遊技球が入賞可能な第２始動入賞口１３ｂが設けられている。第２始動入賞口１３ｂに入賞した遊技球は、排出経路を介して遊技盤３の背面に導かれ、第２始動口スイッチおよび第２入賞確認スイッチ（図示略）によって検出される。第２始動入賞口１３ｂは、普通可変入賞球装置１４によって開閉され、この普通可変入賞球装置１４は、開放条件の成立に応じて、第２始動入賞口１３ｂを、遊技球が進入しない閉状態から、遊技球が進入し易い開状態に変化させる装置である。本実施形態における普通可変入賞球装置１４は矩形の板体を有し、この板体を上下方向に沿った起立状態とすることで第２始動入賞口１３ｂを閉じ、板体を、その下部を軸中心に起立状態から前側に向けて回転させることで、第２始動入賞口１３ｂを開放させる。
【００２０】
普通可変入賞球装置１４は、ソレノイド（図示略）によって駆動される。普通可変入賞球装置１４が第２始動入賞口１３ｂを開状態とすることによって、遊技球が第２始動入賞口１３ｂに入賞可能になり、遊技者にとって有利な状態になる。なお、普通可変入賞球装置１４が開状態になっている状態では、第１始動入賞口１３ａよりも、第２始動入賞口１３ｂに遊技球が入賞し易い。また、普通可変入賞球装置１４が閉状態になっている状態では、遊技球は第２始動入賞口１３ｂに基本的に入賞しないが、入賞はしづらいものの入賞することが可能な（遊技球が進入し難い）構成としてもよい。なお、図１においては、普通可変入賞球装置１４が、第２始動入賞口１３ｂを閉状態とした状態が示されている。また、遊技領域３Ａには、遊技球の挙動を変化させたり、遊技球を入賞球装置に誘導したりする釘等が設けられている。
【００２１】
また、遊技領域３Ａには、演出表示装置１２の周囲を囲う装飾部材であるセンター飾り枠体１５が設けられている。センター飾り枠体１５は、詳細は後述する遊技盤３を構成する遊技板３１に形成された開口の周縁を囲うように取り付けられており、装飾等が設けられている。また、このパチンコ遊技機１では、演出表示装置１２の４角の前側にそれぞれサブ演出表示装置１６が設けられている。演出表示装置１２は前後方向で、遊技盤３の遊技板３１から後側に離間し奥まった位置に配置されており、サブ演出表示装置１６はそれぞれ前後方向で、遊技板３１と演出表示装置１２との間に配置されている。さらに、本実施形態では、演出表示装置１２の左上角部、左下角部、右下角部の前側に配置されたサブ演出表示装置１６がそれぞれ、その一部を遊技板３１の背面に位置させている。  サブ演出表示装置１６は長方形状であり、可変表示部を有し、演出表示装置１２と連動して演出画像を表示する等の演出を実行可能となっている。さらに、本実施形態では、サブ演出表示装置１６が基準位置から所定位置まで移動可能となっているが、これの詳細は後述する。  また、演出表示装置１２の上側には、センター飾り枠体１５の上部の内側から垂れ下がるようにして延びる装飾ランプ１９が設けられている。装飾ランプ１９は複数の光源を備え、演出表示装置１２等と連動して発光し、演出を実行可能となっている。
【００２２】
パチンコ遊技機１では、第１始動入賞口１３ａまたは第２始動入賞口１３ｂへの入賞を契機に大当り抽選が行われ、大当りに当選した場合には、演出表示装置１２において飾り図柄を特定表示結果とすることで、遊技者に大当りである旨が報知される。また、演出表示装置１２では、大当り抽選中に飾り図柄を変動させるとともに、大当りに対する期待度に応じた演出などが行われる。この際に、サブ演出表示装置１６は、演出表示装置１２と連動して演出画像を表示する等の演出を実行する。
【００２３】
第１始動入賞口１３ａの右側であって、普通可変入賞球装置１４の左下側には、特別可変入賞球装置（大入賞球装置と呼ばれる場合がある。また、さらに、広義には大入賞装置と呼ばれる場合もある）２０が設けられている。特別可変入賞球装置２０は、大当りとなった場合に生起する特定遊技状態（大当り遊技状態）において、ソレノイド（図示略）によって、大入賞口２１を開放状態とする。遊技者は、大当り遊技状態において大入賞口２１に遊技球を入賞させることで多くの賞球を得ることができる。
【００２４】
また、遊技領域３Ａにおける左下側の領域には、ゲート１７Ａが設けられるとともに、遊技領域３Ａにおいて、普通可変入賞球装置１４および第２始動入賞口１３ｂの右上側には、ゲート１７Ｂが設けられている。  ゲート１７Ａまたはゲート１７Ｂを遊技球が通過した場合には、図示しないゲートスイッチによって遊技球の通過が検出され、図示しない普通図柄表示器の表示の可変表示が開始される。例えば、普通図柄表示器は、上下のランプ（点灯時に図柄が視認可能になる）が交互に点灯することによって可変表示が行われるものであり、例えば、可変表示の終了時に下側のランプが点灯すれば当りとなる。そして、普通図柄表示器の下側のランプが点灯して当りである場合には、普通可変入賞球装置１４が所定回数、所定時間だけ開状態になる。すなわち、普通可変入賞球装置１４の状態は、下側のランプが点灯して当りである場合に、遊技者にとって不利な状態から有利な状態（第２始動入賞口１３ｂに遊技球が入賞可能な状態）に変化する。
【００２５】
また、遊技領域３Ａにおける下側には、一般入賞口１８Ａ〜Ｄが設けられている。本実施形態では、第１始動入賞口１３ａの左側に、一般入賞口１８Ａ，１８Ｂが左右方向で並んで設けられている。また、第１始動入賞口１３ａの右側に、一般入賞口１８Ｃ，１８Ｄが左右方向で並んで設けられている。一般入賞口１８Ａ〜１８Ｄに遊技球が入賞した場合には、所定個数の賞球が払い出される。
【００２６】
また、遊技領域３Ａの最下部にはアウト口２２が設けられ、何ら入賞せずに流下した遊技球は、アウト口２２から排出されるようになっている。
【００２７】
図１において、符合Ｘで示す矢印は、所謂「左打ち」を行って、遊技球を狙って打ち込んだ場合の遊技球の軌道を示し、符合Ｙで示す矢印は、所謂「右打ち」を行って、遊技球を狙って打ち込んだ場合の遊技球の軌道を示している。
【００２８】
遊技者は遊技状態に応じて、「左打ち」や「右打ち」を行い、センター飾り枠体１５の左側の領域または右側の領域に向けて遊技球を打ち込むことができる。遊技者は操作ノブ１１の回転操作を調整することで、「左打ち」や「右打ち」等の発射の調整を行うことができ、打球発射装置８は、操作ノブ１１の回転操作量に応じて、遊技球の発射の勢いを調整することが可能となっている。
【００２９】
本実施形態のパチンコ遊技機１では、遊技領域３Ａにおいて左右方向中央よりも右側に特別可変入賞球装置２０が設けられているため、右打ちした遊技球が、大入賞口２１に入賞する可能性が高くなっている。一方で、左打ちした遊技球は、大入賞口２１に入賞する可能性が低くなっている。したがって、パチンコ遊技機１が大当り遊技状態となり、特別可変入賞球装置２０が大入賞口２１を開放させる際は、遊技者は「右打ち」をすることで、遊技球が大入賞口２１に入賞し易くなる。また、大当たり遊技状態後に移行する後述する高確高ベース状態および低確高ベース状態では、遊技者は、右打ちをして、第２始動入賞口１３ｂを狙うことで、遊技球が第２始動入賞口１３ｂに入賞し易くなる。
【００３０】
本実施形態のパチンコ遊技機１における基本的な遊技方法について説明すると、遊技者は、操作ノブ１１を操作することにより、打球発射装置８から遊技球を発射する。遊技者は、大当り遊技状態、後述する高確高ベース状態、および低確高ベース状態でない通常状態では、左打ちで遊技領域３Ａに遊技球を打ち込むようにする。遊技球が第１始動入賞口１３ａに入り第１始動口スイッチで検出されると、大当りの抽選が行われるとともに、演出表示装置１２において演出図柄（飾り図柄）の可変表示が開始される。
【００３１】
大当り抽選の抽選結果が「大当り」となり、演出表示装置１２において大当たり図柄が停止されると、大当り遊技状態に移行する。大当り遊技状態においては、特別可変入賞球装置２０の大入賞口２１が、一定時間経過するまで、または、所定個数（例えば１０個）の遊技球が入賞するまで開放する開放制御が行われる。開放制御は、所定回（所定ラウンド、例えば１５ラウンド）継続する。ここで、遊技者は、この大当り遊技状態では、右打ちをすることで、遊技球を大入賞口２１に入賞させる可能性を高めることができる。
【００３２】
また、本実施形態のパチンコ遊技機１では、大当り抽選の抽選結果が特別な大当りである場合には、大当り遊技状態後に大当りとすると判定される確率が、通常状態（低確状態）であるときに比べて高くなる確率変動状態（高確状態）で、かつ普通図柄表示器の当選確率も通常状態よりも高くなる「高確高ベース状態」という遊技者にとって有利な状態になる。一方で、大当り抽選の抽選結果が上記した特別な大当りと異なる特定の大当りである場合には、大当り遊技状態後に大当りとすると判定される確率が、低確状態であるものの、普通図柄表示器の当選確率が通常状態よりも高くなる「低確高ベース状態」という遊技者にとって有利な状態になる。
【００３３】
高確高ベース状態および低確高ベース状態では、ゲート１７Ａまたは１７Ｂの通過に基づく、普通図柄表示器の変動時間（変動開始時から表示結果の導出表示時までの時間）を、通常状態よりも短縮して早期に表示結果を導出表示させる制御が行われる。さらには、普通図柄表示器による抽選が当りとなる確率が高められるとともに、普通可変入賞球装置１４の開放時間が長くされ、かつ、開放回数が増加するように制御される。
【００３４】
したがって、高確高ベース状態および低確高ベース状態では、遊技者は、ゲート１７Ａまたはゲート１７Ｂを狙うことで、第２始動入賞口１３ｂへの入賞の可能性を高くすることができる。ここで、このパチンコ遊技機１では、ゲート１７Ｂを通過した遊技球が、ゲート１７Ｂの下側に位置する第２始動入賞口１３ｂに入賞し易くなっているため、高確高ベース状態および低確高ベース状態では、遊技者は、ゲート１７Ｂを狙うように右打ちをすることで、第２始動入賞口１３ｂへの入賞の可能性を高めることができる。そして、第２始動入賞口１３ｂに入賞した場合には、第１始動入賞口１３ａに入賞した場合と同様に、大当りの抽選が行われる。なお、本実施形態のパチンコ遊技機１は、大当り後に、高確高ベース状態および低確高ベース状態に移行する遊技内容のものであるが、例えば、高確状態で、普通図柄表示器の当り確率が通常状態と変わらない高確低ベース状態等に移行させることを遊技内容として含むもの等としても構わない。
【００３５】
図２は、遊技盤３の正面図を示し、以下、遊技盤３の構成について詳述する。  上記した遊技板３１は、略矩形状の板部材であり、本実施形態では、ポリカーボネート樹脂やメタクリル樹脂等の透明な合成樹脂等からなる無色透明の部材から形成され、遊技者が遊技板３１の背面を視認可能となっている。なお、遊技板３１は、透光性のアクリル樹脂等から形成してもよく、また、本実施形態では、遊技板３１は無色透明であるが、遊技者が遊技板３１を透かしてその背面を視認可能であれば半透明であってもよいし、一部に着色が施されるものであってもよい。また、透明性や透光性を有しない通常の木製板等であっても良い。
【００３６】
遊技板３１の前面には、略円形状をなす合成樹脂等から形成される壁部材３２が固定され、この壁部材３２によって遊技領域３Ａが区画されている。ここで、遊技領域３Ａは、壁部材３２と、遊技板３１のうちの壁部材３２によって囲まれる部位と、から形成されている。また、図２においては、説明便宜上、壁部材３２にドット（網点）を付して示している。
【００３７】
壁部材３２の左下部は、一部開放しており、この開放部分から上記したガイドレール７が壁部材３２の内側で、壁部材３２に沿って延びている。ガイドレール７は２本の金属製の帯状の板材からなり、遊技領域３Ａの左上部に位置する端部を開放させて、当該端部に遊技球の遊技領域３Ａへの導入部７Ａを設定している。壁部材３２の左下部の開放部分は、遊技球の受け入れ口であり、打球発射装置８から発射された遊技球は、この受け入れ口から進入して、ガイドレール７の導入部７Ａまで案内されて遊技領域３Ａに進入する。
【００３８】
遊技板３１には、その中央から広範囲に広がって形成された図中破線で示す開口３３が形成されており、上記したセンター飾り枠体１５は、開口３３の周縁を全域にわたって囲う状態で遊技板３１に固定されている。センター飾り枠体１５は、開口３３の形状に整合した形状に形成され、この例では、略円形状とされている。
【００３９】
ここで、図２には、サブ演出表示装置１６が基準位置から所定位置まで移動する様子が示されている。同図に示すように、本実施形態では、各サブ演出表示装置１６は、その長手方向を傾斜させた実線で示す基準位置から、長手方向を上下に沿わせる二点鎖線で示す所定位置まで移動させることが可能となっている。また、本実施形態では、演出表示装置１２の左上角部、左下角部、右下角部の前側に配置された各サブ演出表示装置１６のうちの、遊技板３１の背面に位置する一部が、基準位置において、遊技板３１を通して視認可能となっている。そして、これら演出表示装置１２の左上角部、左下角部、右下角部の前側に配置された各サブ演出表示装置１６は、所定位置において、遊技板３１の背面に位置した一部が遊技板３１の背面に隠されずに表れるようになっている。
【００４０】
センター飾り枠体１５について詳述すると、センター飾り枠体１５は、遊技板３１の前面における開口３３の周縁に沿って当接されるフランジ部１５Ａと、フランジ部１５Ａの内側縁部から前側に向けて立ち上がる立壁部１５Ｂと、を一体に有している。センター飾り枠体１５は、フランジ部１５Ａに通過させたネジを複数個所で遊技板３１に螺合することで、遊技板３１に固定されている。なお、図中では、説明便宜上、フランジ部１５Ａにドット（網点）を付して示している。
【００４１】
センター飾り枠体１５の立壁部１５Ｂにおける右上側の部位は、略円弧状に形成され、壁部材３２の右上側の部位に一定距離離間した状態で、この壁部材３２の右上側の部位に沿って延び、右打ちされた遊技球の通過経路３Ｒを形成している。また、通過経路３Ｒは、遊技領域３Ａのうちの右下側の領域に遊技球を誘導するように形成されており、その終端位置には、通過経路３Ｒを通過する遊技球の速度を低下させるための蛇行部３Ｒ’が設けられている。よって、通過経路３Ｒを通過する遊技球は、フランジ部１５Ａの前側を通過して、センター飾り枠体１５の外周に沿って円弧状に流下して蛇行部３Ｒ’に到達し、該蛇行部３Ｒ’において流下速度が低下された後、遊技領域３Ａにおける右下側の領域に至るようになっている。なお、本実施形態では、センター飾り枠体１５が遊技領域３Ａの中央から右側に向けて大きく張り出して形成され、センター飾り枠体１５の右側部分と、壁部材３２との間の空間は、左側に比べて狭くなっている。
【００４２】
遊技領域３Ａのうちの右下側の領域には、上記した第２始動入賞口１３ｂ、普通可変入賞球装置１４、ゲート１７Ｂ、一般入賞口１８Ｃ，１８Ｄ、および特別可変入賞球装置２０が設けられるが、本実施形態では、これら各遊技部品が、下側飾り枠体３５に設けられている。本実施形態では下側飾り枠体３５が板部材からなり、遊技領域３Ａのうちの右下側の領域を形成している。下側飾り枠体３５は、壁部材３２の右下側の内面に沿って近接する状態で、遊技板３１にネジ等で固定されている。
【００４３】
一方で、フランジ部１５Ａの始端部となるセンター飾り枠体１５の左上側部分には、ガイドレール７の導入部７Ａから、遊技領域３Ａのうちの左側の領域（第１領域）に進入した遊技球が障害釘等により跳ねて、センター飾り枠体１５の上端部を越えて通過経路３Ｒを通じて、遊技領域３Ａのうちの右下側の領域（第２領域）に進入してしまうことを防ぐための進入防止部Ｄが形成されている。
【００４４】
図３には、進入防止部Ｄが拡大して示されている。進入防止部Ｄは、図３に示すように、下方位置に形成された第１段部Ｄ１と、第１段部Ｄ１よりも上方に形成された第２段部Ｄ２と、進入防止部Ｄの最上部位置である、センター飾り枠体１５の上端部に形成されたフランジ部１５Ａと繋がる部分に形成された第３段部Ｄ３とを有している。
【００４５】
本実施形態では、第２段部Ｄ２の角部は、第１段部Ｄ１の角部よりも丸みを帯びた形状とされているとともに、これら第１段部Ｄ１と第２段部Ｄ２とは、その最大傾斜が垂直を越えない、比較的緩やかなものとされている。
【００４６】
一方、第３段部Ｄ３には、第１段部Ｄ１や第２段部Ｄ２とは異なり、その最大傾斜が、垂直を越えた急なものとなるように、角部に相当する部分が遊技領域３Ａに向けて突出する庇部Ｈとなるように形成されていることで、跳ねた遊技球が第１段部Ｄ１や第２段部Ｄ２を越えて遡ってきても、該庇部Ｈによって、進行方向が反転されるので、センター飾り枠体１５の上端部の通路に遊技球が進入してしまうことを良好に防ぐことができるようになっている。
【００４７】
このように、本実施形態では、各段部（第１段部Ｄ１、第２段部Ｄ２、第３段部Ｄ３）の形状が異なることにより、遊技球の進行状況（流下や遡り）を各段部毎に変化させることができることから好ましいが、本発明はこれに限定されるものではなく、これらの各段部のうち、第２段部Ｄ２と第１段部Ｄ１の形状を同じとしても良い。
【００４８】
また、第２段部Ｄ２と第１段部Ｄ１の形状を、第３段部Ｄ３と同じように庇部Ｈを有する形状としても良いが、これら各段部に庇部Ｈを設けるようにすると、庇部Ｈが突出することによって遊技領域３Ａが狭くなってしまうことから、本実施形態のように、各段部のうち、最も上部の１の段部だけに庇部Ｈを設けるようにすれば良い。
【００４９】
また、本実施形態では、図３に示すように、第３段部Ｄ３の庇部Ｈが、第２段部Ｄ２を構成する傾斜面から連続する面が円弧状に反り返ることにより形成されているので、該庇部Ｈに到達した遊技球が庇部Ｈに衝突して跳ねてしまうことを抑えつつ、到達した遊技球の進行方向を反転させることができることから好ましいが、本発明はこれに限定されるものではなく、これら庇部Ｈの下面と第２段部Ｄ２の上端部を構成する傾斜面とが円弧ではなく段部にて接続された形状としても良い。
【００５０】
ここで、本実施形態の進入防止部Ｄにおける遊技球の動きについて、図８を用いて説明すると、ガイドレール７の導入部７Ａから遊技領域３Ａに進入した遊技球は、例えば、図８（ａ）に示すように、第２段部Ｄ２付近に衝突して障害釘に向けて跳ね返るとともに、該障害釘との衝突によって、再度、進入防止部Ｄの上方に向けて跳ねる場合がある。
【００５１】
このように、障害釘との衝突によって進入防止部Ｄの上方に向けて跳ねた遊技球は、進入防止部Ｄを構成する第２段部Ｄ２の傾斜面を登っていくことになるが、勢いが強くて進入防止部Ｄの上端に到達しても、図８（ｂ）に示すように、該進入防止部Ｄの上端に形成されている庇部Ｈによって、進行方向が反転されて、センター飾り枠体１５の左側の領域（第１領域）を該遊技球が流下するようになることで、センター飾り枠体１５の上端部の通路に遊技球が進入して、センター飾り枠体１５の右下側の領域（第２領域）に遊技球が進入してしまうことが阻止される。
【００５２】
尚、図８には、遊技球の動きの一例として、導入部７Ａから進入した遊技球が第２段部Ｄ２付近に衝突した状況について例示したが、その他の部分、例えば、第１段部Ｄ１に衝突して第１段部Ｄ１や第２段部Ｄ２の傾斜面を登る場合も同様であるが、この場合には、本実施形態では、第１段部Ｄ１と第２段部Ｄ２との間にある障害釘にて遊技球が傾斜面を登ることが阻止されるとともに、第２段部Ｄ２を構成する傾斜面によって、遊技球が登る勢いが低下するようになるので、遊技球が庇部Ｈに到達する前に、遊技球をセンター飾り枠体１５の左側の領域（第１領域）に流下させることができ、庇部Ｈに到達する遊技球の数を低減させることで、庇部Ｈ近傍に遊技球が集中して、これら集中した遊技球同士の衝突により、遊技球がセンター飾り枠体１５の右下側の領域（第２領域）に遊技球が進入してしまうことも防ぐことができる。
【００５３】
次に、下側飾り枠体３５およびこれに設けられる各種遊技部品について、図４を用いて詳述する。本実施形態では下側飾り枠体３５に、一体または別体で、上記した第２始動入賞口１３ｂ、普通可変入賞球装置１４、ゲート１７Ｂ、一般入賞口１８Ｃ，１８Ｄ、および特別可変入賞球装置２０が設けられている。下側飾り枠体３５は、複数の遊技部品を設けられた状態で、遊技板３１に固定されており、このような構成では、組付の効率化を図ることができる。
【００５４】
下側飾り枠体３５は、ポリカーボネート樹脂やメタクリル樹脂等の透明な合成樹脂等からなる無色透明の部材から形成され、遊技者が下側飾り枠体３５の背面を視認可能となっている。下側飾り枠体３５の背面には、破線で示される発光装置３６が設けられ、発光装置３６は、下側飾り枠体３５を通して前側に光を照射することが可能となっている。
【００５５】
本実施形態では、下側飾り枠体３５において、右上部にゲート１７Ｂが設けられ、ゲート１７Ｂは、遊技領域３Ａのうちの右下側の領域に設けられる各種遊技部品の中で、右打ちの場合の遊技球の流下方向で最上流に位置している。
【００５６】
ゲート１７Ｂの下側には、第２始動入賞口１３ｂおよびこれを開閉する普通可変入賞球装置１４が設けられ、第２始動入賞口１３ｂおよびこれを開閉する普通可変入賞球装置１４の下側には、一般入賞口１８Ｄが設けられている。ここで、一般入賞口１８Ｄは、遊技領域３Ａのうちの右下側の領域における縁部側に配置され、さらに詳しくは、一般入賞口１８Ｄは、遊技領域３Ａの中央を基準として、第２始動入賞口１３ｂおよびこれを開閉する普通可変入賞球装置１４よりも下側であって遊技領域３Ａの縁部側に配置されている。
【００５７】
そして、本実施形態では、下側飾り枠体３５に、遊技領域３Ａにおける一般入賞口１８Ｄが設けられる領域の近傍であって、一般入賞口１８Ｄに遊技球が入賞可能な位置へ遊技球を誘導する誘導通路５０に形成されている。本実施形態において誘導通路５０は、下側飾り枠体３５と一体成形されている。したがって、本実施形態では、誘導通路５０が、ポリカーボネート樹脂やメタクリル樹脂等の透明な合成樹脂等から形成されている。なお、誘導通路５０は、別体で下側飾り枠体３５に設けられてもよく、この場合も、樹脂材料から形成されるのが好ましい。
【００５８】
誘導通路５０は、遊技球を受け入れる流入口５０Ａを、第２始動入賞口１３ｂの右上側に設定し、この流入口５０Ａを、遊技球の流下方向で第２始動入賞口１３ｂの上流で開放させている。また、誘導通路５０は、遊技球を受け流す流出口５０Ｂを、第２始動入賞口１３ｂの右下側に設定し、流出口５０Ｂを一般入賞口１８Ｄに指向させている。
【００５９】
誘導通路５０は、ゲート１７Ｂの下側から左下がりに傾斜し、その後、右下がりに傾斜する略Ｖ字状の第１壁部５１と、第１壁部５１の右下がりに傾斜する辺部の下側から第２始動入賞口１３ｂの右側において下側に向けて延び、その後、第２始動入賞口１３ｂの下側に回り込で左側に向けて延びる第２壁部５２と、第２壁部５２の下側に向けて延びる部位と略平行に上下方向に延び、遊技領域３Ａの外周縁に沿う第３壁部５３と、で構成されている。
【００６０】
上記した流入口５０Ａは、第１壁部５１の右下がりに傾斜する部位と第２壁部５２の下側に向けて延びる部位の上部とが上下方向で離間することで形成され、流出口５０Ｂは、第２壁部５２の下側に向けて延びる部位と第３壁部５３の下端部とで形成されている。
【００６１】
このような誘導通路５０が形成されることで、このパチンコ遊技機１では、矢印αに示すように、ゲート１７Ｂを通過或いは通過せずに流下した遊技球が、普通可変入賞球装置１４の上流直前に至った際に、矢印βに示すように、遊技球が第２始動入賞口１３ｂに向けて流下するか、矢印γに示すように、誘導通路５０の流入口５０Ａに受け入れられて一般入賞口１８Ｄに向けて流下するかの振り分けがなされる。ここで、本実施形態では、第２壁部５２の第２始動入賞口１３ｂの下側に回り込で左側に向けて延びる部位の左端部が、一般入賞口１８Ｄよりも左側に位置しており、第２始動入賞口１３ｂに入賞せずに流下した遊技球は、基本的には一般入賞口１８Ｄに向けて流下せず入賞しないようになっている。
【００６２】
また、上記した発光装置３６は、上下方向に長尺に形成され、誘導通路５０の背面で、誘導通路５０と正面視で重なる位置に設けられている。このような構成では、例えば、遊技者が右打ちをする間に、発光装置３６を発光させる等することで、装飾効果および演出効果を高めることができる。
【００６３】
以上に説明した本実施形態のパチンコ遊技機１では、進入防止部Ｄの最上部の第３段部Ｄ３に、庇部Ｈを形成しているので、センター飾り枠体１５（中央構造物）の一方側である、センター飾り枠体１５の左側の領域（第１領域）に進入した遊技球が跳ねて、センター飾り枠体１５（中央構造物）の他方側である右下側の領域（第２領域）に進入してしまうことを良好に防ぐことができる。
【００６４】
また、上記実施形態のパチンコ遊技機１によれば、進入防止部Ｄの最上部の第３段部Ｄ３のみに庇部Ｈを形成しているので、庇部Ｈによって遊技領域Ａが狭くなってしまうことを防止しつつ、センター飾り枠体１５（中央構造物）の右下側の領域（第２領域）への遊技球の進入を良好に防ぐことができる。
【００６５】
また、上記実施形態のパチンコ遊技機１によれば、進入防止部Ｄの各段部の形状を異なる形状としているので、各段部で遊技媒体の進行状況を変化させることができる。
【００６６】
また、上記実施形態のパチンコ遊技機１によれば、第３段部Ｄ３の庇部Ｈが、第２段部Ｄ２を構成する傾斜面から連続する面が円弧状に反り返ることにより形成された形状とされているので、該庇部Ｈに到達した遊技球が庇部Ｈに衝突して跳ねてしまうことを抑えることができる。
【００６７】
以上、本発明の実施形態について説明したが、本発明は上記実施形態に限定されるものではなく、本発明の趣旨を逸脱しない範囲において種々の変更を加えることが可能である。
【００６８】
例えば、上記実施形態では設けていないが、図５に示すように、進入防止部Ｄの臨む遊技領域３Ａに、ガイドレール７の導入部７Ａから遊技領域３Ａに進入した遊技球の流路を変化させる障害部４０を設けるようにしても良い。
【００６９】
具体的に、障害部４０は、図５に示すように、ガイドレール７の導入部７Ａに近接する位置に設ければ良く、障害部４０は、例えば、遊技板３１に沿って固定される平面部４１と、平面部４１から立設され遊技球の流路を変更させる２本の立設部４２，４３と、を有していれば良い。尚、本変形例では、平面部４１がフランジ部１５Ａの一部として機能し、センター飾り枠体１５と一体成形されており、立設部４２，４３もセンター飾り枠体１５と一体成形される。本変形例では、センター飾り枠体１５が、例えば、ポリカーボネート樹脂やメタクリル樹脂等の透明な合成樹脂等からなる無色透明の部材から形成されており、障害部４０のうちの平面部４１および立設部４２，４３も無色透明の部材となっている。
【００７０】
ここで、本変形例では、立設部４２，４３の先端に、平面部４１上（平面部４１の前側）を通過しようとする遊技球が跳ねてガラス板５Ａに干渉するのを保護する透明板保護部４４が設けられている。換言すれば、ガラス板５Ａの遊技板３１側に、透明板保護部４４は配置されている。
【００７１】
透明板保護部４４は板状部材であり、ポリカーボネート樹脂やメタクリル樹脂等の透明な合成樹脂等からなる無色透明の部材から形成されている。このため、図５においては、平面部４１、および立設部４２，４３が実線で示されているが、実際は、平面部４１、および立設部４２，４３は、透明板保護部４４の背面に位置している。
【００７２】
なお、立設部４２は、遊技球の流下方向で、立設部４３よりも上流に配置されており、幅広な壁状に形成される一方で、立設部４３は棒状に形成されている。
【００７３】
図６および図７を参照して、本変形例の障害部４０を、より詳細に説明すると、平面部４１と透明板保護部４４との間には、遊技球が進入可能な隙間が形成されており、図５に示すよう、障害部４０に差し掛かった遊技球は、矢印Iに示すように、立設部４２に衝突して跳ね返って流下したり、矢印IIおよび矢印IIIに示すように、立設部４２の上方を超えて、平面部４１と透明板保護部４４との間に進入したりする。  立設部４２の上方を超えて、平面部４１と透明板保護部４４との間に進入した遊技球は、その後、立設部４２，４３に衝突したりして流下する。
【００７４】
透明板保護部４４は無色透明であるので、遊技者は、透明板保護部４４の背面を通過する遊技球を視認できるようになっている。本実施形態では、透明板保護部４４の全体が、透明板保護部４４の遊技板３１側（背面）を流下する遊技球を視認可能とする視認部として機能するが、これに代えて、透明板保護部４４を有色として、透明板保護部４４に遊技球よりも径の小さい開口を形成することで、この開口を視認部として機能させてもよい。
【００７５】
透明板保護部４４の取付態様について説明すると、図７に示すように、立設部４２，４３には、その先端から基端側に向けて延びるネジ穴４２Ａ，４３Ａが形成され、透明板保護部４４は、貫通させたネジ４５がネジ穴４２Ａ，４３Ａに螺合されることで、立設部４２，４３に着脱可能に支持されている。このような構成では、透明板保護部４４の交換作業が容易になる等の利点がある。
【００７６】
尚、図７に示すように、本実施形態では、平面部４１は、立設部４２，４３の基端に亘って形成されている。つまり、立設部４２，４３の基端の軸方向投影面全域に、平面部４１が亘って形成されている。このような構成であると、この立設部４２，４３の強度が高まる。なお、平面部４１から立設部４２，４３の内部にかけて穴が形成され、平面部４１が立設部４２，４３の基端の軸方向投影面全域に亘って形成されているとはいえず、間欠的であると、立設部４２，４３の強度は、本実施形態の構成に比較して多少、劣ることなる。
【００７７】
そして、図６に示すように、透明板保護部４４は、平面部４１の縁部に対応して、平面部４１の縁部で跳ね上がった遊技球からガラス板５Ａを保護するように設けられており、図５に示すように、本実施形態では、透明板保護部４４は、正面視で、平面部４１の縁部から遊技球の流下方向に延びる範囲に設けられ、平面部４１の略全域を覆うように形成されている。ここで、本変形態では、平面部４１が、比較的広範囲に延在する形状に形成され、種々の方向から平面部４１上に遊技媒体が進入するため、透明板保護部４４も広範囲に延在する形状に形成されている。
【００７８】
このような透明板保護部４４が設けられることで、このパチンコ遊技機１では、ガイドレール７から遊技領域３Ａに進入した直後の遊技球が、ガラス板５Ａに干渉するのが防止される。尚、透明板保護部４４によって、平面部４１の縁部で跳ね上がった遊技球からガラス板５Ａを保護するのであれば、透明板保護部４４は必ずしも、本変形例のように、正面視で平面部４１の略全域を覆うように形成される必要はない。具体的には、図６に示すように、透明板保護部４４は、少なくとも、平面部４１の縁部でガラス板５Ａ側に跳ね上がった遊技球の軌道Ｔ上に位置するようにして、遊技球とガラス板５Ａの干渉を避けるように形成すればよく、本変家例で説明したものよりも小さくてもよい。
【００７９】
また、本変形例では、障害部４０および遊技板３１がいずれも透明樹脂から形成されているので、障害部４０の背面に発光装置を設けて、適宜演出可能なようにしてもよい。
【００８０】
これら変形例では、遊技板３１に設けられ、遊技領域３Ａに進入した遊技球の流路を変化させる樹脂製の障害部４０が備えられ、この障害部４０が、遊技板３１に沿って固定される平面部４１と、平面部４１から立設され遊技球の流路を変更させる立設部４２，４３と、を有し、ガラス板５Ａの遊技板３１側に、平面部４１の縁部に対応して、ガラス板５Ａを遊技球から保護する透明板保護部４４を設けている。これにより、上記変形例では、遊技球が平面部４１の縁部で跳ねたとしても、透明板保護部４４によってガラス板５Ａと遊技球が干渉するのが抑制されるため、遊技球からガラス板５Ａを保護することができる。  尚、上記変形例では、障害部４０が樹脂製であるが、樹脂は、釘等の金属よりも遊技球の跳ね返りを小さくできるので、障害部４０で跳ね返った遊技球がガイドレール７の上流に逆行するのを抑制できる。このように、障害部４０を樹脂製とするのは、センター飾り枠体１５が大きく、立設部４２，４３とガイドレール７の導入部７Ａとが近接してしまうような場合に有効である。
【００８１】
また、上記変形例では、透明板保護部４４の全部が透明樹脂から形成され、遊技者が、その遊技板３１側を流下する遊技球を視認可能であるため、遊技の興趣を向上できる。
【００８２】
また、上記変形例では、透明板保護部４４は、立設部４２，４３のガラス板５Ａ側の端部に支持されるので、透明板保護部４４を容易に設置することができる。
【００８３】
また、上記変形例では、一の平面部４１に対して複数の立設部４２，４３が設けられるので、遊技球の動きが複雑になることで、遊技の興趣を向上できる。
【００８４】
また、上記変形例では、平面部４１が、立設部４２，４３の基端に亘って形成されるので、立設部４２，４３の強度が高められている。
【００８５】
また、上記実施形態では、所謂電動チューリップである普通可変入賞球装置１４が開閉する第２始動入賞口１３ｂの下側に、一般入賞口１８Ｄを設け、第２始動入賞口１３ｂの遊技球の流下方向で上流に誘導通路５０の流入口５０Ａを設ける例であるが、特別可変入賞球装置２０およびこれが開閉する大入賞口２１の下側に、一般入賞口１８Ｄを設け、大入賞口２１の遊技球の流下方向で上流に誘導通路５０の流入口５０Ａを設けるようにしてもよい。この場合においても、特別可変入賞球装置（大入賞装置）２０およびこれが開閉する大入賞口２１の上側の遊技部品の設計自由度を確保できるとともに、遊技球が特別可変入賞球装置２０の上流直前に至った際に、遊技球が特別可変入賞球装置２０によって開閉される大入賞口２１に入賞するか、一般入賞口１８Ｄに入賞するかの振り分けがなされることで、遊技の興趣を向上できる。また、特別可変入賞球装置２０入賞率の調整も容易になる。
【００８６】
また、普通可変入賞球装置１４が開閉する第２始動入賞口１３ｂの下側で、かつ、特別可変入賞球装置２０および大入賞口２１の下側に、一般入賞口１８Ｄを設け、第２始動入賞口１３ｂおよび大入賞口２１の遊技球の流下方向で上流に誘導通路５０の流入口５０Ａを設けるようにしてもよい。この場合においては、普通可変入賞球装置１４およびこれが開閉する第２始動入賞口１３ｂ、並びに、特別可変入賞球装置（大入賞装置）２０およびこれが開閉する大入賞口２１の上側の遊技部品の設計自由度を確保できるとともに、遊技球が普通可変入賞球装置１４または特別可変入賞球装置２０の上流直前に至った際に、遊技球の種々の振り分けがなされることで、遊技の興趣を向上でき、また、各可変入賞球装置の入賞率の調整も容易になる。
【００８７】
また、上記実施形態では、下側飾り枠体３５に誘導通路５０が一体成形されていると説明したが、下側飾り枠体３５と別体とする場合に、例えば、誘導通路５０のうちの第３壁部５３を遊技領域３Ａの縁部に沿うランプ部材とする等してもよい。
【００８８】
また、上記変形例では、センター飾り枠体１５と障害部４０とが一体成形されていることを説明したが、センター飾り枠体１５と透明板保護部４４とを一体成形してもよく、センター飾り枠体１５と障害部４０と透明板保護部４４とを一体成形してもよい。また、センター飾り枠体１５と障害部４０とを別体としてもよく、センター飾り枠体１５と障害部４０と透明板保護部４４とを別体としてもよい。
【００８９】
また、上記実施形態では、パチンコ遊技機１が右打ちの仕様であるものを説明したが、左打ちのみで、遊技を実行できるパチンコ遊技機においても、本発明は適用可能である。
【００９０】
また、上記実施形態では、遊技媒体として遊技球を例示しているが、本発明はこれに限定されるものではなく、これら遊技媒体としては、例えば、円盤状のメダル等であっても良いし、ラグビーボール状の形状をしたものであっても良い。
【００９１】
また、上記実施形態では、下方側から遊技球を発射して左側上部位置から遊技球が遊技領域に進入することで、発射された遊技球（遊技媒体）が遊技領域に到達するまでに通過する領域に近い第１領域が左側の領域であるパチンコ遊技機１を例示しているが、本発明はこれに限定されるものではなく、例えば、遊技球が上方から打ち出す形態の遊技機の場合であれば、上方から打ち出される遊技球が遊技領域に進入する進入口に近い上部領域が第１領域となる。
【００９２】
また、上記実施形態では、センター飾り枠体１５に庇部となる進入防止部Ｄを設けた形態を例示したが、本発明はこれに限定されるものではなく、例えば、変形例のように、障害部４０を設ける場合にあっては、例えば、透明板保護部４４に庇部を設けるようにしても良い。
【００９３】
また、上記実施形態では実施していないが、例えば、進入防止部Ｄにおける第２段部Ｄ２と第３段部Ｄ３との間に、孔を穿設してアウト口や演出表示装置１２下方のステージに繋がるワープ流路への流入口を設けて、遊技球が遊技盤３の後方を流下するようにすることで、進入防止部Ｄで跳ねた遊技球と新たに進入防止部Ｄに進入してきた遊技球との干渉を減らすことができるようにしても良い。
【符号の説明】
【００９４】
１    パチンコ遊技機（遊技機）
３    遊技盤
３Ａ  遊技領域
５Ａ  ガラス板（透明板）
４０  障害部（障害手段）
４１  平面部
４２，４３  立設部
４４  透明板保護部
Ｄ    進入防止部
Ｄ１  第１段部
Ｄ２  第２段部
Ｄ３  第３段部
Ｈ    庇部
【図１】
2015107255.tif 000003
【図２】
2015107255.tif 000004
【図３】
2015107255.tif 000005
【図４】
2015107255.tif 000006
【図５】
2015107255.tif 000007
【図６】
2015107255.tif 000008
【図７】
2015107255.tif 000009
【図８】
2015107255.tif 000010